(57)【要約】      （修正有）【課題】室内側及び室外側のいずれからも取り付け可能な改装用建具を提供する。【解決手段】既設枠２と新設枠３との間を室外側から覆う縦枠カバー７３を備え、縦枠カバー７３は、躯体４に固定可能な第１躯体固定部と、新設枠３と接合される新設枠接合部と、を有し、新設枠３は、縦枠カバー７３よりも室内側で躯体に固定される第２躯体固定部を有し、枠本体、及び、枠本体と縦枠カバー７３とを連結する連結部材１０が着脱自在に設けられており、連結部材１０に、新設枠接合部と接合されるカバー接合部と、第２躯体固定部と、が設けられており、縦枠カバー７３は、室外側に配置される金属製の室外カバー部７３２と、室内側に配置されカバー接合部が接合される金属製の室内カバー部７３１と、を有し、室外カバー部７３２と室内カバー部７３１とは合成樹脂製の中継部７３３により接合されている。【選択図】図２
2020159185.tif 000002
【特許請求の範囲】
【請求項１】
金属製の既設枠により形成される開口内に設けられる合成樹脂製の新設枠を備える改装用建具であって、
前記既設枠と前記新設枠との間を室外側から覆う縦枠カバーを備え、
前記縦枠カバーは、躯体に固定可能な第１躯体固定部と、
前記新設枠と接合される新設枠接合部と、
を有し、
前記新設枠は、前記縦枠カバーよりも室内側で前記躯体に固定される第２躯体固定部を有し、
枠本体、及び、
前記枠本体と前記縦枠カバーとを連結する連結部材が着脱自在に設けられており、
前記連結部材に、前記新設枠接合部と接合されるカバー接合部と、前記第２躯体固定部と、が設けられており、
前記縦枠カバーは、室外側に配置される金属製の室外カバー部と、
室内側に配置され前記カバー接合部が接合される金属製の室内カバー部と、を有し、
前記室外カバー部と前記室内カバー部とは合成樹脂製の中継部により接合されていることを特徴とする改装用建具。
【請求項２】
請求項１に記載の改装用建具であって、
前記新設枠接合部と前記カバー接合部とは室内側から接合可能であることを特徴とする改装用建具。
【発明の詳細な説明】
【技術分野】
【０００１】
本発明は、既設枠により形成される開口内に設けられる新設枠を備える改装用建具に関する。
【背景技術】
【０００２】
既設枠により形成される開口内に設けられる新設枠を備える改装用建具としては、例えば、既設サッシの既設枠内周側に設けられる改装サッシユニットが知られている（特許文献１参照）。この改装サッシユニットは、改装枠の上部を室内側から室外側に移動し、既設枠に設けられ下方に突出されている改装上枠当接部に、改装上枠の室外側の面を、室内側から当接させて既設枠に取り付けられている。
【０００３】
また、上記のような改装サッシユニットのなかには、改装枠を室外側から室内側に移動して既設枠に取り付けるものも存在する。このような改装用建具は、既設枠の内周側に設けられるとともに、既設枠及び既設枠と改装枠との間を覆うカバー部を改装枠が備えている。
【先行技術文献】
【特許文献】
【０００４】
【特許文献１】特許５３０３４９８号公報
【発明の概要】
【発明が解決しようとする課題】
【０００５】
改装用建具は、取り付ける建物により、室内側からの方が取り付け易い場合と、室外側からの方が取り付け易い場合とがある。上記のような改装サッシユニットは、室内側から室外側に移動したときに、改装枠の上部を既設上枠に室内側から当接させるので、室内側からは取り付けられるが、室外側から取り付けることができない。また、既設枠及び既設枠と改装枠との間を覆うカバー部を改装枠が備えている場合には、改装枠における縦横の最大外寸法が既設枠の内周における縦横の最大内寸法より大きいため、室外側からは取り付けられるが、室内側からは取り付けることができない。このため、１つの施工現場においても室内側から取り付けられる建具と室外側から取り付けられる建具とを選択して取り付けなければならないため、いずれの側からも取り付けることが可能な改装用建具が求められている。
【０００６】
本発明は、かかる課題に鑑みてなされたものであり、その目的とするところは、室内側及び室外側のいずれからも取り付け可能な改装用建具を提供することにある。
【課題を解決するための手段】
【０００７】
かかる目的を達成するために本発明の改装用建具は、既設枠により形成される開口内に設けられる新設枠を備える改装用建具であって、前記既設枠と前記新設枠との間を室外側から覆うカバー部材を備え、前記カバー部材は、躯体に固定可能な第１躯体固定部と、前記新設枠と接合される新設枠接合部と、を有し、前記新設枠は、前記カバー部材よりも室内側で前記躯体に固定される第２躯体固定部を有していることを特徴とする改装用建具である。
【０００８】
このような改装用建具によれば、既設枠と新設枠との間を室外側から覆うカバー部材の第１躯体固定部を躯体に室内側から固定した後に、室内側から挿入した新設枠の第２躯体固定部を躯体固定し、新設枠とカバー部材とを接合することより室内側から容易に取り付けることが可能であり、新設枠にカバー部材を取り付けた状態で室外側から新設枠を躯体に固定することにより室外側から取り付けることが可能である。このため、室内側及び室外側のいずれからも取り付け可能な改装用建具を提供することが可能である。
【０００９】
かかる改装用建具であって、前記新設枠は、枠本体、及び、前記枠本体と前記カバー部材とを連結する連結部材が着脱自在に設けられており、前記連結部材に、前記新設枠接合部と接合されるカバー接合部と、前記第２躯体固定部と、が設けられていることが望ましい。
【００１０】
このような改装用建具によれば、新設枠が枠本体と連結部材とに分かれているので、たとえば、合成樹脂と金属等異なる素材からなる新設枠を形成することが可能である。このとき、カバー接合部と第２躯体固定部とを有する連結部材を金属製とし、枠本体を合成樹脂製とすると、強固に固定可能で且つ断熱性を備えた新設枠を提供することが可能である。
【００１１】
かかる改装用建具であって、前記新設枠接合部と前記カバー接合部とは室内側から接合可能であることが望ましい。
このような改装用建具によれば、新設枠接合部とカバー接合部とは室内側から接合可能なので、室内側からより取り付け易い改装用建具を提供することが可能である。
【００１２】
かかる改装用建具であって、前記既設枠及び前記連結部材は金属製であり、前記新設枠は合成樹脂製であり、前記カバー部材は、室外側に配置される金属製の室外カバー部と、室内側に配置され前記カバー接合部が接合される金属製の室内カバー部と、を有し、前記室外カバー部と前記室内カバー部とは合成樹脂製の中継部により接合されていることが望ましい。
【００１３】
このような改装用建具によれば、合成樹脂製の新設枠は、金属製の既設枠及びカバー部材の金属製の室内部材といずれも熱的に縁切りされるので、断熱性が高い改装用建具を提供することが可能である。
【発明の効果】
【００１４】
本発明によれば、室内側及び室外側のいずれからも取り付け可能な改装用建具を提供することが可能である。
【図面の簡単な説明】
【００１５】
【図１】本実施形態に係る改装用建具を示す縦断面図である。
【図２】本実施形態に係る改装用建具を示す横断面図である。
【図３】改装用建具の構成を示す縦断面図である。
【図４】改装用建具の構成を示す横断面図である。
【図５】既設枠の内側に室内側から配置される改装用建具を示す縦断面図である。
【図６】既設枠の内側に室内側から配置される改装用建具を示す横断面図である。
【図７】改装用建具が室内側から配置される既設枠の周りを示す縦断面図である。
【図８】改装用建具が室内側から配置される既設枠の周りを示す横断面図である。
【図９】改装用建具が室内側から取り付けられる状態を示す縦断面図である。
【図１０】改装用建具が室内側から取り付けられる状態を示す横断面図である。
【図１１】既設枠の内側に室外側から配置される改装用建具を示す縦断面図である。
【図１２】既設枠の内側に室外側から配置される改装用建具を示す横断面図である。
【図１３】改装用建具が室外側から配置される既設枠の周りを示す縦断面図である。
【図１４】改装用建具が室外側から取り付けられる状態を示す縦断面図である。
【図１５】改装用建具が室外側から取り付けられる状態を示す横断面図である。
【発明を実施するための形態】
【００１６】
以下、本発明の一実施形態に係る改装窓構造について図面を参照して説明する。
本実施形態の改装窓構造は、図１〜図４に示すように建物等に設けられていた既設建具から障子を外した枠体（以下、既設枠という）２にて形成される開口２ａ内に、引き違い窓用の改装用建具１が新たに設けられている。
【００１７】
以下の説明においては、建物等に取り付けられた状態の既設枠２及び改装用建具１を室内側から見たときに、上下となる方向を上下方向、左右となる方向を左右方向、室内外方向である奥行き方向を見込み方向として示す。改装用建具１の各部位であっても、また、改装用建具１を構成する各部材については単体の状態であっても、建物等に取り付けられた状態にて上下方向、左右方向、奥行き方向となる方向にて方向を特定して説明する。また、既設枠２及び改装用建具１が備える新設枠３はいずれも矩形状に枠組みされているので、矩形の内側を内周側、外側を外周側として説明する。
【００１８】
既設枠２は、アルミニウム製の押出成形材でなる既設上枠２１、既設下枠２２及び左右の既設縦枠２３が枠組みされて矩形状をなしている。既設上枠２１、既設下枠２２及び左右の既設縦枠２３は、各々全長に亘り見込み方向に沿う平面を形成する見込壁部２１ａ、２２ａ、２３ａと、見込壁部２１ａ、２２ａ、２３ａに全長に亘って各々設けられ、外周側に突出して躯体４に固定されるヒレ状の既設固定部２１ｂ、２２ｂ、２３ｂを有している。
【００１９】
既設上枠２１、既設下枠２２及び左右の既設縦枠２３は各々、室外側の端部が、躯体４の室外側に設けられている外壁材５よりも室外側に突出して室外側に露出する露出部２１ｃ、２２ｃ、２３ｃを有しており、既設上枠２１、既設下枠２２及び左右の既設縦枠２３と外壁材５との間にシーリング材５ａが充填されている。
【００２０】
既設上枠２１、既設下枠２２及び左右の既設縦枠２３の室内側の端部は、室内側に全周にわたって設けられている既設額縁２４の室外側の端面と対向している。
【００２１】
改装用建具１は、既設枠２の内周側に取り付けられる新設枠３と、新設枠３に案内されて左右方向にスライド自在に設けられる２枚の障子６と、既設枠２と新設枠３との間を室外側から覆うカバー部材７と、を有している。
【００２２】
カバー部材７は、既設上枠２１の露出部２１ｃ及び既設上枠２１と新設上枠３１との間を覆う上枠カバー７１と、既設下枠２２の露出部２２ｃ及び既設下枠２２と新設下枠３２との間を覆う下枠カバー７２と、既設縦枠２３の露出部２３ｃ及び既設縦枠２３と新設縦枠３３との間を覆う縦枠カバー７３とを有している。
【００２３】
新設枠３は、新設上枠３１、新設下枠３２及び左右の新設縦枠３３が枠組みされており、障子６が吊り込まれる枠本体３ａと、枠本体３ａとカバー部材７とを着脱自在に連結する連結部材１０と、を有している。
【００２４】
新設縦枠３３は、新設上枠３１、新設下枠３２と同一の断面形状をなす合成樹脂製の押し出し成形部材でなる縦枠本体３３ａと、縦枠本体３３ａに着脱自在に固定される金属製の連結部材１０とを有している。そして、枠本体３ａは、新設上枠３１、新設下枠３２及び左右の縦枠本体３３ａを、互いの端部を突き合わせた状態で接合されて形成されている。新設上枠３１、新設下枠３２及び左右の縦枠本体３３ａは、長手方向に貫通する４つの中空部が見込み方向に並ぶように形成されて外周側の壁を形成する外周中空形成部３１ｂ、３２ｂ、３３ｂと、外周中空形成部３１ｂ、３２ｂ、３３ｂの室内側の縁から内周側に延出されて室内に臨む面を形成する内壁部３１ｃ、３２ｃ、３３ｃと、内壁部３１ｃ、３２ｃ、３３ｃに、長手方向に沿うとともに全長に亘って室内側に突出されたヒレ状の突出片３１ｄ、３２ｄ、３３ｄと、を有している。
【００２５】
連結部材１０は、縦枠カバー７３と縦枠本体３３ａとを連結し、躯体４に固定可能に構成されている。連結部材１０は、縦枠本体３３ａの外周中空形成部３３ｂの外周面に当接されて固定される縦枠固定部１０ａと、縦枠固定部１０ａから内周側に突出し内壁部３３ｃに設けられた凹部３３ｅに係止される係止部１０ｂと、縦枠固定部１０ａから繋がって係止部１０ｂより室内側に延出され躯体４に固定可能な第２躯体固定部としての室内延出部１０ｃと、縦枠固定部１０ａの室外側の縁から外周側に延出され縦枠カバー７３に当接されて接合されるカバー接合部１０ｄと、を有している。縦枠固定部１０ａには、外周側の面に、連結部材１０が縦枠本体３３に固定された際に、縦枠本体３３ａの外周中空形成部３３ｂとの間に介在されるシール材９が設けられている。
【００２６】
縦枠カバー７３は、アルミニウム製の押し出し成形部材でなり室内側に配置される室内カバー部７３１と、室外側に配置される室外カバー部７３２と、を有し、室内カバー部７３１と室外カバー部７３２とは合成樹脂製の中継部７３３を介して一体に形成されている。すなわち、室内カバー部７３１と室外カバー部７３２とは、中継部７３３により熱の伝達が縁切りされている。
【００２７】
室内カバー部７３１は、中継部７３３の室内側に上下方向に貫通する中空部を形成し断面が矩形状をなす室内矩形部７３１ａと、室内矩形部７３１ａの外周側の室内壁部７３１ｂが室内側に延出されて躯体４に固定可能な第１躯体固定部としての室内躯体固定部７３１ｃと、室内矩形部７３１ａにおいて室内に臨む面を形成する新設枠接合部としての室内面部７３１ｄと、を有している。
【００２８】
室外カバー部７３２は、中継部７３３の室外側に上下方向に貫通する中空部を形成し断面が矩形状をなす室外矩形部７３２ａと、室外矩形部７３２ａの室外側の縁から外周側に延出されて既設縦枠２３の露出部２３ｃを室外側から覆う既設縦枠カバー部７３２ｂと、室外矩形部７３２ａの室外側の縁から内周側に延出されて縦枠本体３３ａの一部を室外側から覆う新設縦枠カバー部７３２ｃと、を有している。既設縦枠カバー部７３２ｂには、室内側の面に、縦枠カバー７３が取り付けられた際に、既設縦枠２３の露出部２３ｃとの間に介在されるシール材９が設けられており、新設縦枠カバー部７３２ｃには、室内側の面に、縦枠カバー７３が取り付けられた際に、縦枠本体３３ａとの間に介在されるシール材９が設けられている。
【００２９】
また、本改装用建具１は、新設枠３を既設枠２内周側に設置する際に、既設下枠２２の上を平坦にすべく既設枠２及び躯体４に固定される下ガイドプレート１１、及び、既設上枠２１の下を平坦にすべく躯体４に固定され上枠カバー７１が固定される上ガイドプレート１２と、新設下枠３２の下端部における室外側に取り付けられて下枠カバー７２が嵌合されるカバー嵌合部材１３と、新設下枠３２の下端部における室内側に取り付けられて躯体４に固定される下固定片１４ａを備えた下躯体固定部材１４と、新設上枠３１上に配置され外周中空形成部３１ｂと内壁部３１ｃとに固定されて躯体４に固定される上躯体固定部１５ａを有する上躯体固定部材１５と、を有している。
【００３０】
本改装用建具１を室内側から取り付ける場合には、まず、図５に示すように、予め上躯体固定部材１５を新設上枠３１上に載置して外周中空形成部３１ｂ及び内壁部３１ｃにビス止めし、新設下枠３２の外周中空形成部３２ｂにカバー嵌合部材１３をビス止めしておく。また、新設下枠３２の室内側には、下躯体固定部材１４の係止片１４ｂを新設下枠３２の内壁部３２ｃに設けられた凹部３２ｅに係止させるとともに内壁部３２ｃにビス止めしておく。また、図６に示すように、左右の縦枠本体３３ａには、それぞれ連結部材１０を固定しておく。このとき、連結部材１０の係止部１０ｂを縦枠本体３３ａの内壁部３３ｃに設けられた凹部３３ｅに係止するとともに外周中空形成部３３ｂの外周面にビス止めしておく。
【００３１】
一方、図７、図８に示すように、既に躯体４に固定されている既設枠２側には、上の既設額縁２４に、室内側の端部が上下方向において重なるように上ガイドプレート１２を配置し、躯体４に室内側からビス止めする。このとき、上ガイドプレート１２には、既設上枠２１の室外側を覆うように上枠カバー７１を固定しておく。また、下の既設額縁２４に、室内側の端部が上下方向において重なり既設下枠２２の上部及び室外側を覆うように下ガイドプレート１１を配置して躯体４及び既設下枠２２に室内側からビス止めする。更に、左右の既設縦枠２３側には各々、縦の既設額縁２４に、室内躯体固定部７３１ｃが左右方向において重なるように縦枠カバー７３を配置し、室内躯体固定部７３１ｃと既設額縁２４との間に飼い木を介して室内躯体固定部７３１ｃを躯体４に室内側からビス止めする。このとき、縦枠カバー７３の既設縦枠カバー部７３２ｂに設けられているシール材９を既設縦枠２３の露出部２３ｃに当接させておく。
【００３２】
次に、図９、図１０に示すように、上躯体固定部材１５、カバー嵌合部材１３、下躯体固定部材１４が固定されている新設枠３を既設枠２の内周側に配置する。このとき、下ガイドプレート１１、上ガイドプレート１２及び既設額縁２４の間に新設枠３を挿入すると、新設上枠３１に設けられた上躯体固定部材１５の上固定片１５ｂが、上ガイドプレート１２が有する位置決め片１２ａに当接され、新設縦枠３３の連結部材１０のカバー接合部１０ｄが室内面部７３１ｄに当接され室内側から室外側に向かって進入するビスにより接合される。また、新設上枠３１の上躯体固定部１５ａ、新設下枠３２の下固定片１４ａ、新設縦枠３３の室内延出部１０ｃがそれぞれ既設額縁２４との間に飼い木が介在されて室内側から新設額縁１６にビス止めされる。
【００３３】
最後に、室内側から新設額縁１６を室内側の内装材１７と新設枠３との間を覆うように配置して新設上枠３１、新設下枠３２及び新設縦枠３３の各突出片３１ｄ、３２ｄ、３３ｄを室内側から躯体４にビス止めする。
【００３４】
次に、本改装用建具１を室外側から取り付ける場合について説明する。
まず、図１１に示すように、予め上躯体固定部材１５を新設上枠３１上に載置して外周中空形成部３１ｂ及び内壁部３１ｃにビス止めし、新設下枠３２の外周中空形成部３２ｂにカバー嵌合部材１３をビス止めするとともにカバー嵌合部材１３に下枠カバー７２を嵌合しておく。また、新設下枠３２の室内側には、下躯体固定部材１４の係止片１４ｂを新設下枠３２の内壁部３２ｃに設けられた凹部３２ｅに係止させるとともに内壁部３２ｃにビス止めしておく。また、図１２に示すように、左右の縦枠本体３３ａに連結部材１０が固定された左右の新設縦枠３３には、それぞれ縦枠カバー７３を接合しておく。このとき、連結部材１０の係止部１０ｂは縦枠本体３３ａの内壁部３３ｃに設けられた凹部３３ｅに係止するとともに外周中空形成部３３ｂの外周面にビス止めされている。また、縦枠カバー７３は、新設縦枠カバー部７３２ｃの室内側に設けられたシール材９が縦枠本体３３ａの室外側の部位に当接されている。
【００３５】
一方、図１３に示すように、既に躯体４に固定されている既設枠２側には、下の既設額縁２４に、室内側の端部が上下方向において重なり既設下枠２２の上部及び室外側を覆うように下ガイドプレート１１を配置して躯体４及び既設下枠２２に室外側からビス止めしておく。
【００３６】
次に、図１４、図１５に示すように、上躯体固定部材１５、カバー嵌合部材１３、下躯体固定部材１４、下枠カバー７２、及び、縦枠カバー７３が取り付けられている新設枠３を既設枠２の内周側に配置する。このとき、下ガイドプレート１１の上面に沿って新設枠３を挿入する。そして、縦枠本体３３ａに連結部材１０とともに取り付けられている縦枠カバー７３の既設縦枠カバー部７３２ｂの室内側に設けられたシール材９を既設縦枠２３の露出部２３ｃに当接させ、新設上枠３１の上躯体固定部１５ａ、新設下枠３２の下固定片１４ａ、新設縦枠３３の室内延出部１０ｃがそれぞれ既設額縁２４との間に飼い木が介在されて室外側から躯体４にビス止めされる。
【００３７】
次に、新設上枠３１に設けられた上躯体固定部材１５の上固定片１５ｂに室外側から上枠カバー７１をビス止めする。このとき、上枠カバー７１は、上固定片１５ｂと対向する上枠固定部７１ａを有するカバー本体７１ｂを、上枠固定部７１ａと上固定片１５ｂとを螺着することにより新設枠３に固定し、その後、上枠固定部７１ａを室外側から覆うキャップ７１ｃをカバー本体７１ｂに嵌合する。
【００３８】
最後に、室内側から新設額縁１６を室内側の内装材１７と新設枠３との間を覆うように配置して新設上枠３１、新設下枠３２及び新設縦枠３３の各突出片３１ｄ、３２ｄ、３３ｄを室内側から新設額縁１６にビス止めする。
【００３９】
本実施形態の改装用建具１によれば、既設縦枠２３の室外側に露出していた露出部２３ｃ及び既設縦枠２３と新設縦枠３３との間を室外側から覆う縦枠カバー７３の室内躯体固定部７３１ｃを躯体４に室内側から固定した後に、
室内側から挿入した新設枠３の室内延出部１０ｃを躯体４に固定し、新設枠３のカバー接合部１０ｄと縦枠カバー７３の室内面部７３１ｄとを接合することより室内側から容易に取り付けることが可能であり、新設枠３縦枠カバー７３を取り付けた状態で室外側から新設枠３を躯体４に固定することにより室外側から取り付けることが可能である。このため、室内側及び室外側のいずれからも取り付け可能な改装用建具１を提供することが可能である。
【００４０】
また、新設縦枠３３が縦枠本体３３ａと連結部材１０とに分かれているので、たとえば、合成樹脂と金属等異なる素材からなる新設縦枠３３を形成することが可能である。このとき、カバー接合部１０ｄと室内延出部１０ｃとを有する連結部材１０を剛性及び強度が高い金属製とし、縦枠本体３３ａを断熱性が高い合成樹脂製とすると、強固に固定可能で且つ断熱性を備えた新設枠３を提供することが可能である。
【００４１】
また、室内面部７３１ｄとカバー接合部１０ｄとは室内側から進入するビスにより接合可能なので、室内側からより取り付け易い改装用建具１を提供することが可能である。
【００４２】
また、合成樹脂製の新設縦枠３３ａは、金属製の既設縦枠２３及び縦枠カバー７３の金属製の室内部材７３２といずれも縁切りされるので、断熱性が高い改装用建具１を提供することが可能である。
【００４３】
上記実施形態においては、改装用建具１の一例として、引き違い窓用の改装用建具１を例に挙げて説明したが、例えば、開き窓用の建具や辷出し窓用の建具、嵌め殺し窓用の建具などであっても構わない。
【００４４】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４５】
１  改装用建具、２  既設枠、２ａ  開口、３  新設枠、４  躯体、６  障子、
７  カバー部材、１０  連結部材、１０ｃ  室内延出部、１０ｄ  カバー接合部、
２３  既設縦枠、 ２３ｃ  露出部、３３ａ  縦枠本体、７３１ｃ  室内躯体固定部、
７３１ｄ  室内面部、７３１  室内カバー部、７３２  室外カバー部、７３３  中継部
【図１】
2020159185.tif 000003
【図２】
2020159185.tif 000004
【図３】
2020159185.tif 000005
【図４】
2020159185.tif 000006
【図５】
2020159185.tif 000007
【図６】
2020159185.tif 000008
【図７】
2020159185.tif 000009
【図８】
2020159185.tif 000010
【図９】
2020159185.tif 000011
【図１０】
2020159185.tif 000012
【図１１】
2020159185.tif 000013
【図１２】
2020159185.tif 000014
【図１３】
2020159185.tif 000015
【図１４】
2020159185.tif 000016
【図１５】
2020159185.tif 000017